(57)【要約】【課題】  空気清浄運転時の集塵効率の高い空気調和機を提供する。【解決手段】室内機１は、前面部に配された吸い込み口９と、前記吸込み口９の下方に配された吹き出し口８と、前記吸込み口９を覆う前面パネル７と、熱交換器４と、前記熱交換器４の下流側に配されたファン５と、上記吸い込み口９と前記熱交換器４との間に配置され集塵機能を有する集塵機３とを備え、前記前面パネル７と前記吸い込み口９との間に吸い込み風の流れを可変する可動板２ａ、２ｂを具備したもので、空気清浄運転時に、同可動板２ａ、２ｂを集塵機３に空気が優先的に流れる位置に保持するようにすることにより、空気の集塵効率を高めることができる。【選択図】図１ 
2005098533.tif 000002
【特許請求の範囲】
【請求項１】
室外機と室内機からなり、前記室内機は、前面部に配された吸い込み口と、前記吸込み口の下方に配された吹き出し口と、前記吸込み口を覆う前面パネルと、熱交換器と、前記熱交換器の下流側に配されたファンと、上記吸い込み口と前記熱交換器との間に配置され集塵機能を有する集塵機とを備え、前記前面パネルと前記吸い込み口との間に吸い込み風の流れを可変する可動板を具備したことを特徴とする空気調和機。
【請求項２】
前面パネルは、少なくとも空気調和運転時に前方に移動して前記吸込み口を開放し、運転停止時には後方に移動して吸込み口を閉成するとともに、前記前面パネルの移動動作に連動して可動板を動作させることを特徴とする請求項１記載の空気調和機。
【請求項３】
空気調和運転時に、可動板を吸い込み口への空気の流れを妨げない位置に保持し、集塵機による空気清浄機能を優先する運転時には、前記可動板を吸い込み空気を前記集塵機に案内する位置に保持するようにしたことを特徴とする請求項１又は２記載の空気調和機。
【請求項４】
空気調和運転時に可動板を吸い込み空気の流れを妨げない位置に保持し、集塵機による空気清浄機能を優先する運転時には、前記可動板を前記前面パネルの下側からの吸い込み空気流入量を低減させるような位置に保持することを特徴とする請求項１又は２記載の空気調和機。
【請求項５】
可動板をファンと熱交換器が最も近接する部分の通風抵抗を増大させるように配置した請求項１又は２記載の空気調和機。
【請求項６】
前面パネルの上部、下部のそれぞれと熱交換器との間に可動板を配し、空気調和運転には、両可動板を吸い込み口への空気の流れを妨げない位置に保持し、集塵機による空気清浄機能を優先する運転時に、前記下部側の可動板を前記前面パネルの下側からの吸い込み空気流入量を低減させる位置に、また前記上部側の可動板を集塵機に空気を案内する位置にそれぞれ保持することを特徴とする請求項１又は２記載の空気調和機。
【請求項７】
可動板を、前面パネルの上部と吸い込み口との間、およびファンと熱交換器が最も近接する部分の通風抵抗を増大させる位置にそれぞれ配し、空気調和運転時に、前記上部の可動板を吸い込み口への空気の流れを妨げない位置に保持し、集塵機による空気清浄機能を優先する運転時には、前記上部の可動板を吸い込み空気を前記集塵機に案内する位置に保持するようにしたことを特徴とする請求項１又は２記載の空気調和機。
【請求項８】
室外機と室内機からなり、前記室内機は、前面部に配された吸い込み口と、前記吸込み口の下方に配された吹き出し口と、前記吸込み口を覆う前面パネルと、熱交換器と、前記熱交換器の下流側に配されたファンと、上記吸い込み口と前記熱交換器との間に配置され集塵機能を有する集塵機とを備え、空気調和運転時に前記前面パネルを吸い込み空気の流れを妨げない位置に保持し、前記集塵機による空気清浄機能を優先する運転時には、前記前面パネルを下側からの吸い込み空気流入量を低減させる位置に保持することを特徴とする空気調和機。
【請求項９】
前面パネルと吸い込み口との間に可動板を設け、空気調和運転時に、前記可動板を吸い込み口への空気の流れを妨げない位置に保持し、集塵機による空気清浄機能を優先する運転時には、前記可動板を吸い込み空気を前記集塵機に案内する位置に保持するようにしたことを特徴とする請求項８記載の空気調和機。
【発明の詳細な説明】
【技術分野】
【０００１】
本発明は、室内機と室外機とから構成される空気調和機に関するもので、特に、室内機の吸い込み口を備えた前面部の構造に関するものである。
【背景技術】
【０００２】
一般に、室内機と室外機とから構成される空気調和機の室内機は、吸い込み口および吹き出し口を備え、内部には熱交換器、クロスフローファン等の送風機などが収容されている。
【０００３】
上記吹き出し口にはルーバーが設けられていて、冷房運転と暖房運転との切り換えに応じて吹き出し風を最適な方向へ吹き出せるよう切換えができるようになっている。たとえば、冷房運転時にはほとんど水平方向に吹き出すようにして人体に冷風が直接当たらないようにし、また暖房運転時には、いわゆる頭寒足熱をなすよう足元に温風を吹き出すようにしている。また運転停止時には、吹き出し口からの塵埃の侵入を防ぐためにルーバーで吹き出し口を覆うようにしている。
【０００４】
そして、近年、空質向上の観点から、空気調和機の室内機に空気清浄機能を持つ集塵機が搭載されたものがある。具体的には、室内機の前面部に吸込み口と、この下部後方に吹出し口を設け、前記吸込み口を覆う前面パネルを取付け、吸込み口と対向して熱交換器を配置し、熱交換器と吹き出し口の間に送風機を配置し、吸込み口と熱交換器との間に電気集塵機を配置したものである。さらに、通常の空気調和運転時に突出して前記吸込み口を開放し、運転停止時に前記吸込み口を閉成する可動パネルを具備した空気調和機が提案されている（例えば、特許文献１参照）。
【特許文献１】特開２００３−７４８９７号公報
【発明の開示】
【発明が解決しようとする課題】
【０００５】
このような従来の空気調和機では、運転停止時の空気調和機本体内への塵埃の侵入は阻止できるが、運転時、集塵機を通過しない吸い込み空気が存在するので、空気清浄機能を優先する運転時において、集塵機の集塵効果が十分発揮されないという問題があった。また、従来の空気調和機では、クロスフローファンと熱交換器とが最も近接する部分を吸い込み空気が通過する際に発生する送風騒音が大きく、居住者に不快感を与えていた。
【０００６】
本発明は、上記課題を解決するもので、集塵機を用いた空気清浄運転時の集塵効率が良く、また低騒音の空気調和機を提供する事を目的とするものである。
【課題を解決するための手段】
【０００７】
上記従来の課題を解決するために、本発明の空気調和機は、室外機と室内機からなり、前記室内機は、前面部に配された吸い込み口と、前記吸込み口の下方に配された吹き出し口と、前記吸込み口を覆う前面パネルと、熱交換器と、前記熱交換器の下流側に配されたファンと、上記吸い込み口と前記熱交換器との間に配置され集塵機能を有する集塵機とを備え、前記前面パネルと前記吸い込み口との間に吸い込み風の流れを可変する可動板を具備したもので、通常の空気調和機としての運転時に、可動板を吸い込み風の流れを阻害しない位置に保持するようにすれば、同運転が正常に行われ、また、集塵機を用いた空気清浄運転時に、同可動板を集塵機に空気が優先的に流れる位置に保持するようにすれば、空気の集塵効率が非常に高まるものである。
【０００８】
また、本発明の空気調和機は、室外機と室内機からなり、前記室内機は、前面部に配された吸い込み口と、前記吸込み口の下方に配された吹き出し口と、前記吸込み口を覆う前面パネルと、熱交換器と、前記熱交換器の下流側に配されたファンと、上記吸い込み口と前記熱交換器との間に配置され集塵機能を有する集塵機とを備え、空気調和運転時に前記前面パネルを吸い込み空気の流れを妨げない位置に保持し、前記集塵機による空気清浄機能を優先する運転時には、前記前面パネルを下側からの吸い込み空気流入量を低減させる位置に保持するもので、通常の空気調和運転時には熱交換空気の風量を十分確保でき、空気清浄機能を優先する運転時には前記前面パネルの下側からの吸い込み空気流入量を低減するので、その分集塵機への吸い込み空気流入量を増大させるので集塵効率を増大させることができる。
【発明の効果】
【０００９】
本発明の空気調和機は、集塵機を使用した空気清浄運転時の集塵効率が高く、かつ送風騒音が低く、居住者が快適に利用する事ができるものである。
【発明を実施するための最良の形態】
【００１０】
第１の発明は、室外機と室内機からなり、前記室内機は、前面部に配された吸い込み口と、前記吸込み口の下方に配された吹き出し口と、前記吸込み口を覆う前面パネルと、熱交換器と、前記熱交換器の下流側に配されたファンと、上記吸い込み口と前記熱交換器との間に配置され集塵機能を有する集塵機とを備え、前記前面パネルと前記吸い込み口との間に吸い込み風の流れを可変する可動板を具備したもので、通常の空気調和機としての運転時に、可動板を吸い込み風の流れを阻害しない位置に保持するようにすれば、同運転が正常に行われ、また、集塵機を用いた空気清浄運転時に、同可動板を集塵機に空気が優先的に流れる位置に保持するようにすれば、空気の集塵効率が非常に高まるものである。
【００１１】
第２の発明は、特に第１の発明の前面パネルは、少なくとも空気調和運転時に前方に移動して前記吸込み口を開放し、運転停止時には後方に移動して吸込み口を閉成するとともに、前記前面パネルの移動動作に連動して可動板を動作させるもので、前面パネルが閉成する場合に、最適な位置に可動板を保持することができ、吸い込み口を確実に閉成することができる。また、運転停止時には、前面パネルで吸い込み口が閉じられているので、吸い込み口から内部に埃が入る事がないものである。
【００１２】
第３の発明は、特に、第１または第２の発明の可動板を、空気調和運転時に吸い込み口への空気の流れを妨げない位置に保持し、集塵機による空気清浄機能を優先する運転時には、前記可動板を吸い込み空気を前記集塵機に案内する位置に保持するようにしたもので、空気調和運転時には熱交換空気の風量を十分確保でき、集塵機による空気清浄機能を優先する運転時には吸い込み空気が集塵機に効率良く流入するので集塵効率を増大させることができる。
【００１３】
第４の発明は、特に、第１又は第２の発明の可動板を、空気調和運転時に吸い込み空気の流れを妨げない位置に保持し、集塵機による空気清浄機能を優先する運転時には、前記可動板を前記前面パネルの下側からの吸い込み空気流入量を低減させるような位置に保持するもので、通常の空気調和運転時に熱交換空気の風量を十分確保でき、空気清浄機能を優先する運転時には、下側からの空気流入分が減るので、その分集塵機が配された上方からの空気流入量が増大するので集塵効率を増大させることができる。
【００１４】
第５の発明は、特に、第１又は第２の発明の可動板をファンと熱交換器が最も近接する部分の通風抵抗を増大させるように配置したもので、その部分を通過する吸い込み空気流量が低下し、送風騒音を低減させることができる。
【００１５】
第６の発明は、特に、第１又は第２の発明の前面パネルの上部、下部のそれぞれと熱交換器との間に可動板を配し、空気調和運転時には、両可動板を吸い込み口への空気の流れを妨げない位置に保持し、集塵機による空気清浄機能を優先する運転時には、前記下部側の可動板を前記前面パネルの下側からの吸い込み空気流入量を低減させる位置に、また前記上部側の可動板を集塵機に空気を案内する位置にそれぞれ保持するもので、通常の空気調和運転時には可動板は吸い込み空気の流れを妨げない位置で保持されるので熱交換空気の風量を十分確保でき、また空気清浄機能を優先する運転時には、下側の可動板で前記前面パネルの下側からの吸い込み空気流入量が低減され、上部側の可動板で吸い込み空気が上記集塵機に案内されるので、集塵効率を一層増大させることが出来る。
【００１６】
第７の発明は、特に、第１または第２の発明の可動板を、前面パネルの上部と吸い込み口との間、およびファンと熱交換器が最も近接する部分の通風抵抗を増大させる位置にそれぞれ配し、空気調和運転時に、前記上部の可動板を吸い込み口への空気の流れを妨げない位置に保持し、集塵機による空気清浄機能を優先する運転時には、前記上部の可動板を吸い込み空気を前記集塵機に案内する位置に保持するようにしたもので、空気調和運転時には空気が抵抗無く吸い込み口に流入し、十分な熱交換空気が得られ、また、空気清浄運転時には、上部の可動板により、空気が集塵機に効率良く流れ集塵効率が高まると共に、いずれの運転時にもファンと上記熱交換器が最も近接する部分での通風量が減り、その部分で発生する送風騒音を低減させることが出来る。
【００１７】
第８の発明は、室外機と室内機からなり、前記室内機は、前面部に配された吸い込み口と、前記吸込み口の下方に配された吹き出し口と、前記吸込み口を覆う前面パネルと、熱交換器と、前記熱交換器の下流側に配されたファンと、上記吸い込み口と前記熱交換器との間に配置され集塵機能を有する集塵機とを備え、空気調和運転時に前記前面パネルを吸い込み空気の流れを妨げない位置に保持し、前記集塵機による空気清浄機能を優先する運転時には、前記前面パネルを下側からの吸い込み空気流入量を低減させる位置に保持するもので、通常の空気調和運転時には熱交換空気の風量を十分確保でき、空気清浄機能を優先する運転時には前記前面パネルの下側からの吸い込み空気流入量が低減するので、その分上方に配した集塵機への吸い込み空気流入量が増大するので集塵効率を増大させることが出来る。
【００１８】
第９の発明は、特に第８の発明の前面パネルと吸い込み口との間に可動板を設け、空気調和運転時に、前記可動板を吸い込み口への空気の流れを妨げない位置に保持し、集塵機による空気清浄機能を優先する運転時には、前記可動板を吸い込み空気を前記集塵機に案内する位置に保持するようにしたもので、通常の空気調和運転時には、熱交換空気の風量を十分確保でき、空気清浄機能を優先する運転時には、上記可動板により吸い込み空気が上記集塵機に案内され、しかも前面パネルの下側からの吸い込み空気流入量が低減されるので、前記集塵機への吸い込み空気流入量が増大し集塵効率を増大させることができる。
【００１９】
以下、本発明の実施の形態について、図面を参照しながら説明する。なお、この実施の形態によって本発明が限定されるものではない。
【００２０】
（実施の形態１）
以下、本発明の第１の実施の形態における空気調和機を図１、２を用いて説明する。
【００２１】
図１は、空気調和機の室内機１の断面を模式的に示したものである。
【００２２】
図において、室内機１は、台枠１ａと、図示しない駆動装置により前後に移動して吸い込み口９を開閉する前面パネル７から構成されている。
【００２３】
台枠１ａには、室外機（図示せず）と冷媒用配管（図示せず）と接続される熱交換器４と、前記熱交換器４の上流側に配され塵埃を捕集する集塵機３と、前記吸い込み口９から外気を取り入れ、集塵機３と、熱交換器４を通過させ、吹き出し口８から空気を吹き出すクロスフロータイプのファン５が取り付けられている。８は、前記吹き出し口８に回動自在に設けられ吹き出し風の向きを可変する風向板である。２ａ、２ｂは、前面パネル７の上部と下部に設けられかつ前面パネル７の開閉動作に連動して動作する可動板である。
【００２４】
上記構成による動作、作用は以下の通りである。
【００２５】
図１は、駆動装置により前面パネル７が前方に移動して吸い込み口９を開いて、集塵機３を用いた空気清浄運転が行われている状態を示す図で、上部に設けた可動板２ａは、図に示されるように集塵機３に空気を案内する位置に保持され、下方の可動板２ｂは、下側から吸い込み口９に流入する空気を抑制する位置に保持されているので、集塵機３に上方から空気が優先的に流入し、集塵効率の高い運転ができるものである。図２は、室内機１の運転が停止し、前面パネル７が後方に移動して吸い込み口９を閉じた状態を示すもので、可動板２ａ、２ｂは、前面パネル７の閉成方向への移動動作に連動して、最適な位置に回動若しくは移動して保持されるようになっている。これにより、運転停止中には吸い込み口９から塵埃が入る事が無い。
【００２６】
（実施の形態２）
次に本発明の第２の実施の形態における空気調和機を図３、４を用いて説明する。なお、上記第１の実施の形態と同一部分については同一符号を付してその説明を省略する。
【００２７】
本実施の形態は、可動板２ａを前面パネル７の上部に設けると共に、室内機１を通常の空気調和用に運転する場合は、図３に示すように、可動板２ａを前面パネル７側に沿わせるようにして、吸い込み空気の流れを妨げない位置で保持するようにするもので、吸い込み空気が吸い込み口９より流入して熱交換器４による熱交換空気の風量を十分確保することができる。
【００２８】
又、空気清浄機能を優先させて室内機１を運転する時には、図４に示すように、可動板２ａを回動して、吸い込み空気を集塵機３に案内する位置で保持するもので、集塵機３に流入する空気が増加して、集塵効率を増大させることができるものである。
【００２９】
なお、上記実施例では、前後に移動する前面パネル７を用いたが、吸い込み口９から所定の間隔を置いて前方に固着された前面パネル７であっても良い。
【００３０】
（実施の形態３）
次に本発明の第３の実施の形態における空気調和機を図５、６を用いて説明する。なお、上記実施の形態と同一部分については同一符号を付してその説明を省略する。
【００３１】
本実施の形態では、可動板２ｂを前面パネル７の下方に設けたもので、通常の空気調和運転時には、図５に示すように可動板２ｂを吸い込み空気の流れを妨げない位置で保持することで、熱交換器４による熱交換空気の風量を確保できるとともに、空気清浄機能を優先する運転時には、図６に示すように、前面パネル７の下側から流入する吸い込み空気の量を低減させるように、可動板２ｂを閉じる方向に回動させると、空気のほとんどが上部から流入すると共に集塵機３が空気の流入側に位置しているので、集塵機３への吸い込み空気流入量が増大し、集塵効率を増大させることができる。
【００３２】
（実施の形態４）
次に本発明の第４の実施の形態における空気調和機を図７を用いて説明する。なお、上
記実施の形態と同一部分については同一符号を付してその説明を省略する。
【００３３】
本実施の形態は、ファン５と熱交換器４が最も近接するＡ部の通風抵抗を、図７に示すように可動板２ｃにより増大させるもので、その部分を通過する吸い込み空気流量は低下し、風が狭い部分を通過する際に発生する送風騒音を低減させることが出来る。
【００３４】
（実施の形態５）
次に本発明の第５の実施の形態における空気調和機を図８、９を用いて説明する。なお、上記実施の形態と同一部分については同一符号を付してその説明を省略する。
【００３５】
上記実施の形態では、吸い込み口９への空気の流れを可動板で制御したが、本実施の形態では、それを前面パネル７で行うもので、具体的には、通常の空気調和運転時には、図８に示すように、前面パネル７を略水平に前方に移動させ、空気が上下左右方向より流れが妨げられないように流入するようにする。そうすることで、熱交換空気の風量を十分確保することができる。
【００３６】
そして、空気清浄機能を優先する運転時には、前面パネル７の下端を吸い込み口９側に寄せて、下側から流入する空気量を低減するもので、それにより集塵機３が配置されている上方から流入する空気量が増大し、集塵機３による塵埃の集塵効率を増大させることができるものである。
【００３７】
（実施の形態６）
次に本発明の第６の実施の形態における空気調和機を図１０、１１を用いて説明する。なお、上記実施の形態と同一部分については同一符号を付してその説明を省略する。
【００３８】
可動板２ａ、２ｂを前面パネル７の上下に設け、通常の空気調和運転時には、図１０に示すように、可動板２ａ、２ｂを吸い込み空気の流れを妨げない位置で保持するもので、これにより熱交換器３による熱交換空気の風量を確保することができる。
【００３９】
そして、空気清浄機能を優先する運転時には、図１１に示すように、可動板２ａを吸い込み空気を集塵機３に案内する位置で保持すると共に、下側の可動板２ｂで下方からの空気流入を抑えるもので、集塵機３による集塵効率を増大させることが出来る。
【００４０】
（実施の形態７）
次に本発明の第７の実施の形態における空気調和機を図１２、１３を用いて説明する。なお、上記実施の形態と同一部分については同一符号を付してその説明を省略する。
【００４１】
本実施の形態は、上記第２の実施の形態と第４の実施の形態を合体させたようなものである。すなわち、前面パネル８の上部に可動板２ａを設け、さらにファン５と熱交換器４が最も近接するＡ部に対向する位置に可動板２ｃを設けたもので、Ａ部の通風抵抗が可動板２ｃにより増大するので、ここを通過する吸い込み空気流量が低下し、送風騒音を低減させることができる。さらに通常の空気調和運転時には、図１２に示すように可動板２ａが吸い込み空気の流れを妨げない位置で保持されるので熱交換空気の風量を十分確保できる。また、空気清浄機能を優先する運転時には可動板２ａは吸い込み空気を集塵機３に案内する位置で保持されるので集塵効率を増大させることが出来る。
【００４２】
（実施の形態８）
次に本発明の第８の実施の形態における空気調和機を図１４、１５を用いて説明する。なお、上記実施の形態と同一部分については同一符号を付してその説明を省略する。
【００４３】
本実施の形態では、前面パネル７の上方に可動板２ａを配し、通常の空気調和運転時には、前面パネル７を前方に移動させると共に、可動板２ａは吸い込み空気の流れを妨げない位置で保持するもので、それにより熱交換空気の風量を十分確保することができる。
【００４４】
次に空気清浄機能を優先する運転時には、図１５に示すように可動板２ａを吸い込み空気を集塵機３に案内する位置で保持するとともに、前面パネル７の下端を吸い込み口９側に寄せて下側からの吸い込み空気流入量を低減させるもので、集塵機３への吸い込み空気流入量を増大させるので集塵効率を増大させることが出来る。
【産業上の利用可能性】
【００４５】
以上のように、本発明にかかる空気調和機は、通常の空気調和運転並びに集塵機を使用した空気清浄運転時の集塵効率が高く、また送風騒音が低いので、空気清浄機など吸い込み口とその吸い込み口から空気を取り入れファンを備えた各種機器に広く適用する事ができるものである。
【図面の簡単な説明】
【００４６】
【図１】本発明の第１の実施の形態を示す空気調和機の室内機の断面図
【図２】同室内機の断面図
【図３】本発明の第２の実施の形態を示す空気調和機の室内機の断面図
【図４】同室内機の断面図
【図５】本発明の第３の実施の形態を示す空気調和機の室内機の断面図
【図６】同室内機の断面図
【図７】本発明の第４の実施の形態を示す空気調和機の室内機の断面図
【図８】本発明の第５の実施の形態を示す空気調和機の室内機の断面図
【図９】同室内機の断面図
【図１０】本発明の第６の実施の形態を示す空気調和機の室内機の断面図
【図１１】同室内機の断面図
【図１２】本発明の第７の実施の形態を示す空気調和機の室内機の断面図
【図１３】同室内機の断面図
【図１４】本発明の第８の実施の形態を示す空気調和機の室内機の断面図
【図１５】同室内機の断面図
【符号の説明】
【００４７】
１  室内機
２ａ、２ｂ、２ｃ  可動板
３  集塵機
４  熱交換器
５  ファン
７  前面パネル
８  吹き出し口
９  吸い込み口
【図１】
2005098533.tif 000003
【図２】
2005098533.tif 000004
【図３】
2005098533.tif 000005
【図４】
2005098533.tif 000006
【図５】
2005098533.tif 000007
【図６】
2005098533.tif 000008
【図７】
2005098533.tif 000009
【図８】
2005098533.tif 000010
【図９】
2005098533.tif 000011
【図１０】
2005098533.tif 000012
【図１１】
2005098533.tif 000013
【図１２】
2005098533.tif 000014
【図１３】
2005098533.tif 000015
【図１４】
2005098533.tif 000016
【図１５】
2005098533.tif 000017